(57)【要約】      （修正有）【課題】外したいときに簡単かつ衛生的に外すことが可能なマスクを提供する。【解決手段】着用者の少なくとも鼻孔及び口を覆うことが可能な被覆部２と、着用者の耳に掛けられる耳掛け部３を備えたマスクであって、耳掛け部３からストラップ部４が延設され、ストラップ部は首掛けが可能な所要の長さを有している。被覆部、耳掛け部、ストラップ部は、一体的に形成された二層シートからなる。二層シートは、多孔質性のエラストマーを主材料とする基部と、基部の表面又は裏面に積層される、布帛を主材料とする表皮部とを有している。【選択図】図１
0003231055.tif 000002
【実用新案登録請求の範囲】
【請求項１】
着用者の少なくとも鼻孔及び口を覆うことが可能な被覆部と、
前記着用者の耳に掛けられる耳掛け部を備え、
前記耳掛け部からストラップ部が延設されており、前記ストラップ部は首掛けが可能な所要の長さを有している、マスク。
【請求項２】
前記被覆部と、前記耳掛け部と、前記ストラップ部は、一体的に形成された二層シートからなり、
前記二層シートは、
多孔質性のエラストマーを主材料とする基部と、
前記基部の表面又は裏面に積層される、生地を主材料とする表皮部とを有している、請求項１に記載のマスク。
【請求項３】
前記ストラップ部は、左右の耳掛け部から延設され連続した一体の帯状体からなり、その中央部は、マスクを着用した状態において前記着用者の首の後ろ又は背中の上部に位置し、弛緩した状態となっている、請求項１又は２に記載のマスク。
【請求項４】
前記耳掛け部から延設される前記ストラップ部の延設方向は、マスクを着用した状態において前記着用者の鼻尖と耳孔を結ぶ線よりも下方に向けて延設されている、請求項１〜３の何れかに記載のマスク。
【請求項５】
前記耳掛け部と前記ストラップ部の境界部分に切断予定線が設けられている、請求項１〜４の何れかに記載のマスク。
【考案の詳細な説明】
【技術分野】
【０００１】
本考案は、マスクを外したいときは首に掛けておくことが可能なマスクに関するものである。
【背景技術】
【０００２】
新型コロナウイルスの感染防止対策を日常生活に取り入れた「新しい生活様式」が人々の間に浸透している。人との間隔はできるだけ２ｍを確保し、３密（密集、密接、密閉）の状態を避けると共に、電車の中、店舗での買い物、対面での打合せなど、人との間隔を十分に確保することが難しい場合はマスクの着用が推奨されている。
【０００３】
しかし、例えば長時間に及ぶ会議で水分補給のためにお茶を飲むときなどは、一時的にマスクを外すことになる。その際、外したマスクは不衛生であるため、デスクの上に置くことは避ける必要がある。
【０００４】
そこで、従来、紐体と、マスクの紐を挟入可能な螺旋ピッチの螺旋体とを備えたマスク首掛け具が提案されている（特許文献１）。また、机の上に配置される本体部と、本体部に連結されてマスクを吊り下げる紐状体と、マスクを挟持するスナップボタンとを備えたマスクホルダーも公知となっている（特許文献２）。
【先行技術文献】
【特許文献】
【０００５】
【特許文献１】実用新案登録第３２２８７２６号公報
【特許文献２】実用新案登録第３２２８９１１号公報
【考案の概要】
【考案が解決しようとする課題】
【０００６】
しかし、従来のマスク首掛け具やマスクホルダーは、マスクとは別に常時携帯する必要がある。そのため、外出の際に家に置き忘れてきたり、紛失することがあった。また、マスク首掛け具やマスクホルダーをマスクの紐に着脱する操作は、手間が掛かるものであった。
【０００７】
本考案は、他の部材を必要とせず、簡単かつ衛生的にマスクを外すことを可能とすることを目的とし、以下の構成を主な特徴点としている。
【課題を解決するための手段】
【０００８】
本考案は、着用者の少なくとも鼻孔及び口を覆うことが可能な被覆部と、着用者の耳に掛けられる耳掛け部を備え、耳掛け部からストラップ部が延設されており、ストラップ部は首掛けが可能な所要の長さを有している。
【０００９】
本考案は、被覆部と、耳掛け部と、ストラップ部は、一体的に形成された二層シートからなり、二層シートは、多孔質性のエラストマーを主材料とする基部と、基部の表面又は裏面に積層される、生地を主材料とする表皮部とを有していてもよい。
【００１０】
本考案は、ストラップ部は、左右の耳掛け部から延設され連続した一体の帯状体からなり、その中央部は、マスクを着用した状態において着用者の首の後ろ又は背中の上部に位置し、弛緩した状態となっていてもよい。
【００１１】
本考案は、耳掛け部から延設されるストラップ部の延設方向は、マスクを着用した状態において着用者の鼻尖と耳孔を結ぶ線よりも下方に向けて延設されていてもよい。
【００１２】
本考案は、耳掛け部とストラップ部の境界部分に切断予定線が設けられていてもよい。
【考案の効果】
【００１３】
本考案では、耳掛け部からストラップ部が延設されており、ストラップ部は首掛けが可能な所要の長さを有している。
【００１４】
そのため、本考案のマスクは、マスク以外の部材を携帯する必要がない上、マスクの紐に部材を脱着する手間も生じず、マスクを一時的に外したいときは直ちに首にぶら下げることができて衛生的であり、着用者がマスクの置き場所に困ることがない。
【図面の簡単な説明】
【００１５】
【図１】実施形態に係るマスクを拡げた状態の斜視図である。
【図２】実施形態に係るマスクを閉じた状態の図である。
【図３】耳掛け部を耳に掛け、マスクとして使用している状態を示す図である。
【図４】ストラップ部を首に掛け、マスクを外している状態を示す図である。
【図５】実施形態に係るマスクに用いる二層シートの断面図である。
【図６】切断予定線を設けた変形例を示す図である。
【考案を実施するための最良の形態】
【００１６】
以下、図面を参照しながら、本考案を実施するための最良の形態について詳細に説明する。なお、以下の実施形態の説明は、本考案、その適用物、その用途の範囲を制限することを意図するものではない。
【００１７】
本実施形態のマスク１は衛生マスクであり、図１に示すように、着用者の鼻、口、頬を覆い飛沫の拡散及び侵入を防ぐ被覆部２と、着用者の耳に掛けるための開口３ａを有した耳掛け部３を備えている。被覆部２と耳掛け部３は弾性的に変形する素材を使用しているため、着用者がマスクをつけた状態において着用者の顔の接触箇所に対応した立体的形状となる。
【００１８】
ストラップ部４は、着用者の首に掛けることが可能な所要の長さを有する連続した１本の帯状の部材であり、左右の耳掛け部３の所要の位置から一方向に延びるように設けられている。ストラップ部４の長さは、着用者の体のサイズに応じて適宜設計すればよいが、例えば図２中の符号Ｌで示す部分の長さは２２〜３２ｃｍの範囲とすることができ、本実施形態では２７ｃｍとしている。
【００１９】
本実施形態では、ストラップ部４は、左右の耳掛け部から延設された連続した一体の帯状体である。図３に示すように、ストラップ部４の中央部４ａは、被覆部２で着用者Ｍの鼻及び口を覆いマスク１を使用している状態において、着用者Ｍの首の後ろ又は背中の上部に位置し、ストラップ部４が弛緩した状態となっている。
【００２０】
このようにすれば、マスク１を使用中にストラップ部４が着用者Ｍの後頭部を圧迫することがないので好適である。また、ストラップ部４は、マスク１を使用中は着用者Ｍの背中側に位置しているので、例えば飲食店の料理人がマスク１を使用する場合でも、ストラップ部４が厨房での作業の邪魔になることはない。
【００２１】
また、図２および図３から理解されるように、本実施形態のマスク１では、耳掛け部３から延設されるストラップ部４は、マスクを着用した状態において着用者の鼻尖と耳孔を結ぶ線（各図中、符号Ｘで示す線）よりも下方に向けて延設している。このように延設方向を下向きとすることで、ストラップ部４は、マスク１を使用する際は自然に下向きに垂れ下がった状態となり、違和感がないフォルムとなる。
【００２２】
そして、マスクを外したいときは、図４に示すように、被覆部２を鼻及び口から外してストラップ部４を首に掛ければよく、これによりマスク１が着用者Ｍの首にぶら下がった状態となる。つまり、マスク１を用いれば、別途マスク首掛け具やマスクホルダーを携帯する必要がなく、それらの部材をマスクの紐に脱着する手間も生じず、マスクを外したいときは直ちに首にぶら下げることができて衛生的であり、着用者Ｍがマスクの置き場所に困ることがない。
【００２３】
図５は、被覆部２、耳掛け部３、ストラップ部４を構成する素材である二層シート５の断面図である。本実施形態では、被覆部２、耳掛け部３、ストラップ部４は連続しており二層シート５を所要の形状にカットすることによって製造できるので、マスク１は生産効率が良い。
【００２４】
そして、二層シート５は、 多孔質性のエラストマーを主材料とする基部５ａと、基部５ａの表面及び裏面の何れか一方の面に積層される伸縮性を有する生地を主材料とする表皮部５ｂとを有している。
【００２５】
基部５ａとしては、例えば柔軟性及び通気性に富むポリウレタン樹脂を使用することができる。また、表皮部５ｂとしては、例えば伸縮性に富む弾性糸を用いた布帛や織地を使用できる。
【００２６】
二層シート５を上記の構造とすることで、被覆部２はウイルスをブロックする効果を保ちつつ、呼吸がしやすく適度な通気性が確保される。また、耳掛け部３とストラップ部４は、マスクとしての使用、及び、首に掛けた状態での使用に十分に耐え得る強度が確保される。また、マスク１は使い捨てではなく、洗濯をすることで何度でも繰り返し使用することができるので、経済的である。
【００２７】
本考案は上記の例に限らず、各請求項に記載された技術的思想の範疇であれば、適宜実施の形態を変更しても良いことは言うまでもない。
【００２８】
例えば、上記実施形態では生産効率を優先して、被覆部２、耳掛け部３、ストラップ部４に共通の二層シート５を使用する一例を示したが、これに限らない。例えば、被覆部２は耳掛け部３及びストラップ部３よりも通気性の高い素材を使用すると共に、耳掛け部３及びストラップ部４は、被覆部２よりも強度の高い素材を使用し、素材を切り換えてもよい。
【００２９】
また、例えば図６に示すように、耳掛け部３とストラップ部４の境界部に切断予定線６を設けてもよい。切断予定線６は、着用者が利用シーンに応じて今回使用するものについては通常のマスクとしての使用だけでよいと考えた場合に、ストラップ部４を切除するための線である。
【００３０】
切断予定線６は、線が印刷されているだけでもよく、その場合は着用者が鋏を使用してカットする。あるいは、切断予定線６は、ミシン目を形成したものでもよい。ミシン目とは、破線状に打ち抜き加工を行うか、打ち抜かずに底部を有する凹部を破線状に形成した線である。このようなミシン目を設けた場合は、鋏を用いなくても力を加えるだけで切断予定線６に沿ってストラップ部４を簡単に切除できる。
【符号の説明】
【００３１】
１  マスク
２  被覆部
３  耳掛け部
３ａ  開口
４  ストラップ部
４ａ  中央部
５  二層シート
５ａ  基部
５ｂ  表皮部
６  切断予定線  
【図１】
0003231055.tif 000003
【図２】
0003231055.tif 000004
【図３】
0003231055.tif 000005
【図４】
0003231055.tif 000006
【図５】
0003231055.tif 000007
【図６】
0003231055.tif 000008